(57)【要約】【課題】軽量かつ薄型で、白色光に近い高い演色性を有する光が面発光することで、影を作ることなく直近の診療対象部を幅広く照らすことができる医療用照明装置を提供する。【解決手段】ヘッドバンドを介して頭部に照明ユニットが装着される医療用照明装置であって、前記照明ユニット３は、偏平状のユニットケース３ａと、前記ユニットケースの前面側に配置された面状の有機ＥＬ発光体３ｃとを備え、前記有機ＥＬ発光体の背面を覆う前記ユニットケースの一部が前記ヘッドバンドに対して、ボールジョイントもしくはヒンジによる連結体２を介して取り付けられる。前記有機ＥＬ発光体３ｃの出射光の平均演色評価数Ｒａは８５以上であることが望ましい。【選択図】図１
0003219633.tif 000002
【実用新案登録請求の範囲】
【請求項１】
ヘッドバンドを介して頭部に照明ユニットが装着される医療用照明装置であって、
前記照明ユニットは、偏平状のユニットケースと、前記ユニットケースの前面側に配置された面状の有機ＥＬ発光体とを備え、前記有機ＥＬ発光体の背面を覆う前記ユニットケースの一部が前記ヘッドバンドに対して、連結体を介して取り付けられると共に、前記有機ＥＬ発光体の出射光の平均演色評価数Ｒａは８５以上であることを特徴とする医療用照明装置。
【請求項２】
前記ユニットケースとヘッドバンドとの間の連結体が、ボールジョイントもしくはヒンジにより構成され、前記有機ＥＬ発光体の照射角度が変更可能に構成されていることを特徴とする請求項１に記載の医療用照明装置。
【請求項３】
前記有機ＥＬ発光体の発光輝度が調整可能な調光手段が備えられていることを特徴とする請求項１又は請求項２に記載の医療用照明装置。
【考案の詳細な説明】
【技術分野】
【０００１】
この考案は、医療診療者の頭部に装着して医療診療者の視線方向に光を照射することができるようにした有機ＥＬ発光体を用いた医療用照明装置に関する。
【背景技術】
【０００２】
診療所や病院等において、医療診療者が患者の診療や施術などを行うに際しては、医療診療者が医療器具や検査装置などを手にする場合が多い。このため、照明ユニットを医療診療者の頭部に装着して、医療診療者の視線方向と同じ方向に光源からの光を照射することで、患者の診療対象部もしくは施術対象部において十分な照度が確保できるようにした医療用照明装置が用いられる。
この種の医療用照明装置においては、医療診療者の頭部にヘッドバンドを利用して前記光源が保持できるように構成されており、これは特許文献１および２などに開示されている。
【先行技術文献】
【特許文献】
【０００３】
【特許文献１】登録実用新案第３０９８０５１号公報
【特許文献２】登録実用新案第３０２２５１２号公報
【考案の概要】
【考案が解決しようとする課題】
【０００４】
ところで、特許文献１および２に開示された医療用照明装置によると、照明用光源として電球が用いられ、電球からの光を集光レンズを介して投光できるように構成されている。したがってヘッドバンドに取り付けられる照明ユニットは、集光レンズ等を含めて重く嵩張るものとなり、長時間の頭部への装着によって、医療診療者に対して疲れを感じさせるなどの負担が発生する。
また、光が集光レンズによってスポット状に照射されることから、患者に対して眩しさを与えると共に、医療診療者の手先や検査器具などによる影が発生し易い。さらに発光光源としての電球の光は、必ずしも演色性（平均演色評価数Ｒａ）が高いものとは言えず、患者の患部の状態を見間違うなどの問題も含むものとなる。
【０００５】
この考案は、前記した特許文献１および２に示された医療用照明装置の問題点に着目してなされたものであり、照明ユニットとして軽量かつ薄型に構成できると共に、白色発光に近い高い演色性を有する光が面発光することで、影を作ることなく直近の診療対象部を幅広く照らすことができる医療用照明装置を提供することを目的とするものである。
【０００６】
前記した課題を解決するこの考案に係る医療用照明装置は、ヘッドバンドを介して頭部に照明ユニットが装着される医療用照明装置であって、前記照明ユニットは、偏平状のユニットケースと、前記ユニットケースの前面側に配置された面状の有機ＥＬ発光体とを備え、前記有機ＥＬ発光体の背面を覆う前記ユニットケースの一部が前記ヘッドバンドに対して、連結体を介して取り付けられると共に、前記有機ＥＬ発光体の出射光の平均演色評価数Ｒａは８５以上であることを特徴とする。
【０００７】
この場合、好ましい実施の形態においては、前記ユニットケースとヘッドバンドとの間の連結体が、ボールジョイントもしくはヒンジにより構成され、前記有機ＥＬ発光体の光の照射角度が前記ボールジョイントもしくはヒンジによって変更可能に構成される。
加えて、前記有機ＥＬ発光体の発光輝度が調整可能な調光手段が備えられていることが望ましい。
【考案の効果】
【０００８】
この考案に係る前記した医療用照明装置によると、発光光源として有機ＥＬ発光体が用いられるので、照明ユニットを軽量かつ薄型に構成することが可能であり、したがって長時間の頭部への装着において、疲れを感じるなどの負担が生ずるのを軽減させることができる。
しかも面発光による光は、患者に対して眩しさを与える問題を解消すると共に、医療診療者の手先や検査器具などによる影の発生を少なくし、柔らかな光により直近の診療対象部を幅広く照らすことが可能となる。
さらに、光の平均演色評価数Ｒａが８５以上の有機ＥＬ発光体を用いることで、患者の患部等の状態を、ほぼ自然光に近い光により正確に検診することができるなどの実用的効果を期待することができる。
【図面の簡単な説明】
【０００９】
【図１】この発明に係る第１形態の医療用照明装置の斜視図である。
【図２】第１形態の医療用照明装置の三面図であり、（Ａ）は正面図、（Ｂ）は平面図、（Ｃ）は右側面図である。
【図３】この発明に係る第２形態の医療用照明装置の斜視図である。
【図４】第２形態の医療用照明装置の三面図であり、（Ａ）は正面図、（Ｂ）は平面図、（Ｃ）は右側面図である。
【図５】第３形態の医療用照明装置の四面図であり、（Ａ）は正面図、（Ｂ）は斜視図、（Ｃ）は平面図、（Ｄ）は右側面図である。
【図６】第４形態の医療用照明装置の四面図であり、（Ａ）は正面図、（Ｂ）は斜視図、（Ｃ）は平面図、（Ｄ）は右側面図である。
【考案を実施するための形態】
【００１０】
この考案に係る医療用照明装置について、図に示す実施の形態に基づいて説明する。
なお、以下に示す各図においては、同一もしくは相当する部分をそれぞれ同一符号で示しているが、一部の図面においては、紙面の都合により符号の記載を省略して示す場合もある。
【００１１】
図１および図２は医療用照明装置の第１の形態を示している。図１に斜視図で示すように、この医療用照明装置は医療診療者等の頭部に装着されるヘッドバンド１と、このヘッドバンド１にボールジョイントもしくはヒンジ等による連結体２を介して取り付けられた照明ユニット３と、照明ユニット３に点灯駆動電力を供給するバッテリーを収容した制御ケース４より構成され、照明ユニット３と制御ケース４とは、給電線５を介して接続されている。そして、制御ケース４はこの医療用照明装置を利用する医療診療者の例えば胸ポケットなどに収容される。
【００１２】
図１に示す制御ケース４と給電線５を除いた医療用照明装置の構成が、図２に示されている。図２に示すように、ヘッドバンド１は偏平長尺状の弾力性を有する素材により構成され、その両端部は例えば金属製又は樹脂製の接続部材１ｂによって接続されてリング状になされている。
この実施の形態における照明ユニット３は丸型に構成されており、偏平状にして丸型のユニットケース３ａの前面側には、平面状の有機ＥＬ発光体３ｃが配置されている。なお、有機ＥＬ発光体３ｃは、図２（Ａ）に示すようにユニットケース３ａの前面側に形成された丸型の縁取り３ｂによって、ユニットケース３ａよりも一回り小さな丸型の発光面積を備えて構成されている。
【００１３】
前記した有機ＥＬ発光体３ｃの背面を覆うユニットケース３ａの一部と、前記ヘッドバンド１の接続部材１ｂとの間には、連結体２が介在されて、前記照明ユニット３がヘッドバンド１に取り付けられている。
図１および図２に示す実施の形態においては、前記連結体２としてボールジョイントが用いられている。このボールジョイントは、図２に示すように、Ｌ字状ロッド２ａの端部に取り付けられたボール２ｂと、このボール２ｂを包囲するボールホルダー２ｃとにより構成されている。
【００１４】
そして、ヘッドバンドの接続部材１ｂに対して、Ｌ字状ロッド２ａの一端部が取り付けられ、Ｌ字状ロッド２ａの上向きになされた他端部に前記ボール２ｂが位置するように構成される。
また、ボールホルダー２ｃは、ユニットケース３ａの裏面における下端部に取り付けられており、このボールホルダー２ｃは前記ボール２ｂを両外側から挟んで保持できるように構成されている。
さらに、ボールホルダー２ｃの側面には、図２（Ｃ）に示すように締結ねじ２ｄが螺合されており、この締結ねじ２ｄの締め付け度合い応じて、ボールホルダー２ｃによる前記ボール２ｂへの両外側からの締め付け度合いが調節できるように構成されている。
これにより、ヘッドバンド１に対する有機ＥＬ発光体３ｃの照射角度を任意に変更し、その状態を保持することが可能となる。
【００１５】
一方、前記した照明ユニット３に点灯駆動電力を供給する図１に示す制御ケース４内には、バッテリーとして例えばリチウムイオン電池が収容されており、さらに制御ケース４内には、有機ＥＬ発光体３ｃの発光輝度が調整可能な調光手段が備えられている。
この調光手段としては、ＰＷＭ（Pulse Width Modulation）制御を好適に採用することができ、このＰＷＭ制御により、有機ＥＬ発光体３ｃの発光輝度を例えば３段階に制御するように構成される。
この場合、図１に示す制御ケース４に配置された操作スイッチ４ａをプッシュ操作するごとに、有機ＥＬ発光体３ｃにおいて、照度が高く点灯、照度が中で点灯、照度が低く点灯、消灯（電源ＯＦＦ）が繰り返されるように制御される。
【００１６】
図３および図４は医療用照明装置の第２の形態を示している。この実施の形態における照明ユニット３は角型に構成されている。
すなわち、偏平状にして角型に形成されたユニットケース３ａの前面側には、平面状の有機ＥＬ発光体３ｃが配置されている。この有機ＥＬ発光体３ｃは、図４（Ａ）に示すようにユニットケース３ａの前面側に形成された角型の縁取り３ｂによって、ユニットケース３ａよりも一回り小さな角型の発光面積を備えて構成されている。
そして、他の構成は図１および図２に示した第１の形態と同様であり、それぞれ相当する部分を同一符号で示している。したがって、各部の詳細な説明は省略する。
【００１７】
図５は医療用照明装置の第３の形態を示している。この実施の形態におけるヘッドバンド１には、リング状のヘッドバンド１の１８０度対向する位置を結ぶようにして、頭上バンド１ａが取り付けられている。
そして、この例に示すリング状のヘッドバンド１と頭上バンド１ａは、偏平状のゴムバンドにより形成されており、前記頭上バンド１ａが使用者（医療診療者）の頭部の前後に跨がるように沿って位置し、これが補助バンドとして作用して、照明ユニット３を確実に固定することができる。
【００１８】
この第３の形態における照明ユニット３は、図１および図２に示した例と同様に丸型に構成されており、この丸型の照明ユニット３は、ヘッドバンド１に対してヒンジによる連結体２を利用して取り付けられている。
すなわち、図５（Ｄ）に示すようにヘッドバンドの接続部材１ｂには、コ字状に形成された固定部材２ｆが取り付けられ、この固定部材２ｆにおけるコ字状の両脚部間に配置された回動部材２ｇには、照明ユニット３の裏面が取り付けられる。
【００１９】
そして、固定部材２ｆの前記両脚部と前記回動部材２ｇとの間に通された支軸２ｈにより、固定部材２ｆと回動部材２ｇがヒンジを構成している。
したがって、照明ユニット３は、固定部材２ｆと回動部材２ｇによるヒンジによる連結体２を介して、ヘッドバンドの接続部材１ｂに取り付けられ、ヒンジ機構を利用してヘッドバンド１に対する有機ＥＬ発光体３ｃの照射角度を変更することができる。
なお、図５に示した実施の形態においても、図１および図３に示した例と同様に、照明ユニット３に対して、給電線５を介して制御ケース４から点灯駆動電力が供給されるが、これは図示を省略している。
【００２０】
図６は医療用照明装置の第４の形態を示している。この実施の形態は図５に示した第３の形態に対して、角型の照明ユニット３が用いられており、その他の各部材は図５に示した第３の形態と同様である。
したがって、相当する部分を同一符号で示しており、各部の詳細な説明は省略する。
【００２１】
ところで、前記した医療用照明装置においては、診療対象部（患者の患部）の状態を正確に把握することが求められ、必然的に有機ＥＬ発光体３ｃによる投射光の平均演色評価数Ｒａが高いことが望まれる。
そこで、入手した各社の有機ＥＬ発光体を用いて、目視による演色性の評価と、供給メーカが公表する平均演色評価数Ｒａ（カタログ値）の関係について比較した結果を、表１に示している。
なお、表１の目視による演色性評価は、◎は優れた演色性である。○は実用上十分な演色性である。×は演色性はやや劣る。の三段階で示している。
【００２２】
【表１】
0003219633.tif 000003
【００２３】
表１の結果からも理解できるとおり、メーカのカタログ値における平均演色評価数Ｒａと、目視による演色性の評価結果はほぼ一致しており、平均演色評価数Ｒａ≧８５であれば、実用に供する医療用照明装置が提供できると考えることができる。
【００２４】
以上説明した実施の形態においては、前記した照明ユニット３には、給電線５を介して制御ケース４より点灯駆動電力が供給されるように構成されている。しかし、現状のリチウムイオン電池等は、携帯型電話機等にも多用されているとおり、極めて薄型に形成することも可能である。
したがって、前記した制御ケース４を別に備えずに、照明ユニット３内にバッテリーを収容した医療用照明装置を実現させることも可能である。この場合には、電源のオンオフおよび調光操作を兼ねる前記した操作スイッチ４ａを、照明ユニット３の一部に設けることで、同様の作用効果を得ることができる。
【符号の説明】
【００２５】
１      ヘッドバンド
１ａ    頭上バンド
１ｂ    接続部材
２      連結体（ボールジョイント、ヒンジ）
２ａ    Ｌ字状ロッド
２ｂ    ボール
２ｃ    ボールホルダー
２ｄ    締結ねじ
２ｆ    固定部材
２ｇ    回動部材
２ｈ    支軸
３      照明ユニット
３ａ    ユニットケース
３ｂ    縁取り
３ｃ    有機ＥＬ発光体
４      制御ケース
４ａ    操作スイッチ
５      給電線
【図１】
0003219633.tif 000004
【図２】
0003219633.tif 000005
【図３】
0003219633.tif 000006
【図４】
0003219633.tif 000007
【図５】
0003219633.tif 000008
【図６】
0003219633.tif 000009